(57)【要約】【課題】塵埃の侵入を抑制しつつ光源の冷却効果が高めることができる投写型表示装置を提供する。【解決手段】プロジェクタ１は、本体キャビネット１０内に外部の空気を取り込むためのランプ側吸気口５０２ａと、ランプ側吸気口５０２ａとは別個に設けられたパネル側吸気口５０３ａと、外部の空気をランプ側吸気口５０２ａを通じて吸気する吸気ファン５１０と、外部の空気をパネル側吸気口５０３ａを通じて吸気する吸気ファン５１１と、ランプ側吸気口５０２ａから取り込まれた空気をランプユニット２０１に供給するためのランプ冷却風路５０２と、パネル側吸気口５０３ａから取り込まれた空気を表示ユニット２０３に供給するためのパネル冷却風路５０３と、本体キャビネット１０内への塵埃の侵入を抑制しつつランプ側吸気口５０２ａから外部の空気を取り込みやすくするための風量調整手段（第１エアフィルタ４０７、第２エアフィルタ４０８）と、を備える。【選択図】図４
2013125221.tif 000002
【特許請求の範囲】
【請求項１】
光源と、
前記光源から出射された光を変調する光変調部と、
前記光源および前記光変調部が配される本体キャビネットと、
前記本体キャビネット内に外部の空気を取り込むための第１の吸気口と、
前記第１の吸気口とは別個に設けられ、前記本体キャビネット内に外部の空気を取り込むための第２の吸気口と、
外部の空気を前記第１の吸気口を通じて吸気する第１の吸気ファンと、
外部の空気を前記第２の吸気口を通じて吸気する第２の吸気ファンと、
前記第１の吸気ファンによって前記第１の吸気口から取り込まれた空気を、前記光源に供給するための第１の風路と、
前記第２の吸気ファンによって前記第２の吸気口から取り込まれた空気を、前記光変調部に供給するための第２の風路と、
前記第１の吸気口と前記第２の吸気口とに関連して設けられ、前記本体キャビネット内への塵埃の侵入を抑制しつつ前記第１の吸気口から外部の空気を取り込みやすくするための風量調整手段と、を備える、
ことを特徴とする投写型表示装置。
【請求項２】
請求項１に記載の投写型表示装置において、
前記風量調整手段は、前記第１の吸気口に取り込まれる空気から塵埃を除去する第１のフィルタと、前記第２の吸気口に取り込まれる空気から塵埃を除去する第２のフィルタと、を含み、
前記第１のフィルタは、前記第２のフィルタに比べて目が粗い、
ことを特徴とする投写型表示装置。
【請求項３】
請求項２に記載の投写型表示装置において、
前記第１の吸気口は、前記第２の吸気口に隣接して設けられるとともに、
前記本体キャビネットに取り外し可能に装着されるフィルタユニットを備え、
前記フィルタユニットには、当該フィルタユニットが前記本体キャビネットへ装着された状態において前記第１の吸気口および前記第２の吸気口にそれぞれ繋がる第１の空気流路および第２の空気流路が設けられ、
前記第１の空気流路および前記第２の空気流路に、それぞれ前記第１のフィルタおよび前記第２のフィルタが配される、
ことを特徴とする投写型表示装置。
【請求項４】
請求項１に記載の投写型表示装置において、
前記第１の風路は、前記第２の風路に隣接して設けられるとともに、
前記風量調整手段は、
前記第１の風路および前記第２の風路に外部の空気を取り込むための吸気口を覆うフィルタと、
前記吸気口を、前記第１の吸気口と前記第２の吸気口とに分ける仕切部と、
前記光源の温度を検出するための第１の温度検出部と、
前記光変調部の温度を検出するための第２の温度検出部と、
前記第１の温度検出部による検出温度および前記第２の温度検出部による検出温度に基づいて、前記第１の吸気口と前記第２の吸気口との開口面積の比率が変わるように前記仕切部を移動させる駆動部と、
を含む、
ことを特徴とする投写型表示装置。
【請求項５】
請求項４に記載の投写型表示装置において、
前記駆動部は、前記第１の温度検出部による検出温度および前記第２の温度検出部による検出温度に基づいて、前記光源に対する冷却量が前記光変調部に対する冷却量よりも不足していると判定した場合に、前記仕切部を、前記第１の吸気口の開口面積が現在の開口面積より大きくなるように移動させる、
ことを特徴とする投写型表示装置。
【請求項６】
請求項５に記載の投写型表示装置において、
前記駆動部は、前記第１の温度検出部による検出温度および前記第２の温度検出部による検出温度に基づいて、前記光変調部に対する冷却量が前記光源に対する冷却量よりも不足していると判定した場合に、前記仕切部を、前記第２の吸気口の開口面積が現在の開口面積より大きくなるように移動させる、
ことを特徴とする投写型表示装置。
【発明の詳細な説明】
【技術分野】
【０００１】
本発明は、光源からの光を変調して被投写面に投写する投写型表示装置に関する。
【背景技術】
【０００２】
従来、投写型表示装置（以下、「プロジェクタ」という）では、光源からの光が光変調素子等で構成される光変調部よって変調され、変調された光が被投写面に投写される。かかるプロジェクタでは、光源および光変調部において発熱が生じる。このため、プロジェクタには、これら発熱部を、外部から取り込んだ空気によって冷却する冷却機構が備えられる。
【０００３】
冷却機構は、たとえば、外部の空気をプロジェクタ内部に吸気する吸気ファン、プロジェクタ内部の空気を外部に排出する排気ファン等により構成される。外部の空気は、フィルタが配された吸気口を通じてプロジェクタ内部に取り込まれる。取り込まれた空気は、光源および光変調部を冷却した後、排気口を通じて外部に排出される（特許文献１参照）。
【先行技術文献】
【特許文献】
【０００４】
【特許文献１】特開２０００−２５８８４２号公報
【発明の概要】
【発明が解決しようとする課題】
【０００５】
ところで、光源は、光変調部に比べて温度が高くなるため、光変調部よりも高い冷却能力が必要となる場合が多い。冷却能力を高めるためには、風量を多くする必要がある。光源へ供給する空気の風量を多くするためには、吸気口に配されたフィルタの目を粗くし、吸気口から空気を取り込みやすくすることが考えられる。しかしながら、この場合、プロジェクタ内部へ塵埃が侵入しやすくなり、光変調部に塵埃が付着することにより、画質の劣化を招きやすくなる。
【０００６】
本発明は、かかる課題に鑑みてなされたものであり、塵埃の侵入を抑制しつつ光源の冷却効果が高めることができる投写型表示装置を提供することを目的とする。
【課題を解決するための手段】
【０００７】
本発明の投写型表示装置は、光源と、前記光源から出射された光を変調する光変調部と、前記光源および前記光変調部が配される本体キャビネットと、前記本体キャビネット内に外部の空気を取り込むための第１の吸気口と、前記第１の吸気口とは別個に設けられ、前記本体キャビネット内に外部の空気を取り込むための第２の吸気口と、外部の空気を前記第１の吸気口を通じて吸気する第１の吸気ファンと、外部の空気を前記第２の吸気口を通じて吸気する第２の吸気ファンと、前記第１の吸気ファンによって前記第１の吸気口から取り込まれた空気を、前記光源に供給するための第１の風路と、前記第２の吸気ファンによって前記第２の吸気口から取り込まれた空気を、前記光変調部に供給するための第２の風路と、前記第１の吸気口と前記第２の吸気口とに関連して設けられ、前記本体キャビネット内への塵埃の侵入を抑制しつつ前記第１の吸気口から外部の空気を取り込みやすくするための風量調整手段と、を備える。
【０００８】
本発明の投写型表示装置によれば、本体キャビネット内への塵埃の侵入を抑制しつつ、光源の冷却効果を高めることができる。
【０００９】
本発明の投写型表示装置において、前記空気導入手段は、前記第１の吸気口に取り込まれる空気から塵埃を除去する第１のフィルタと、前記第２の吸気口に取り込まれる空気から塵埃を除去する第２のフィルタと、を含み得る。この場合、前記第１のフィルタは、前記第２のフィルタに比べて目が粗い構成とされる。
【００１０】
このような構成とすれば、第１のフィルタは、第２のフィルタよりも目が粗いので空気が通りやすい。このため、第２の吸気口に比べ、第１の吸気口から空気が取り込まれやすくなる。一方、第２のフィルタは、第１のフィルタより目が細かいので、第１のフィルタに比べて小さな塵埃を除去できる。よって、光源へ供給される風量を多くすることができ、光源の冷却効果を高めることができるともに、光源に比べて塵埃の影響を受けやすい光変調部に対しては、塵埃の付着を防止しつつ冷却を行うことができる。
【００１１】
上記の構成とした場合、前記第１の吸気口が、前記第２の吸気口に隣接して設けられ得る。さらに、前記本体キャビネットに取り外し可能に装着されるフィルタユニットが備えられ得る。この場合、前記フィルタユニットには、当該フィルタユニットが前記本体キャビネットへ装着された状態において前記第１の吸気口および前記第２の吸気口にそれぞれ繋がる第１の空気流路および第２の空気流路が設けられ、前記第１の空気流路および前記第２の空気流路に、それぞれ前記第１のフィルタおよび前記第２のフィルタが配される。
【００１２】
このような構成とすれば、本体キャビネット内にフィルタユニットを装着するだけで、第１の吸気口への第１のフィルタの装着、および第２の吸気口への第２のフィルタの装着が行える。よって、ユーザに対する利便性を高めることができる。
【００１３】
本発明の投写型表示装置において、前記第１の風路は、前記第２の風路に隣接して設けられ得る。この場合、前記風量調整手段は、前記第１の風路および前記第２の風路に外部の空気を取り込むための吸気口を覆うフィルタと、前記吸気口を、前記第１の吸気口と前記第２の吸気口とに分ける仕切部と、前記光源の温度を検出するための第１の温度検出部と、前記光変調部の温度を検出するための第２の温度検出部と、前記第１の温度検出部による検出温度および前記第２の温度検出部による検出温度に基づいて、前記第１の吸気口と前記第２の吸気口との開口面積の比率が変わるように前記仕切部を移動させる駆動部と、を含む構成とされる。
【００１４】
たとえば、前記駆動部は、前記第１の温度検出部による検出温度および前記第２の温度検出部による検出温度に基づいて、前記光源に対する冷却量が前記光変調部に対する冷却量よりも不足していると判定した場合に、前記仕切部を、前記第１の吸気口の開口面積が現在の開口面積より大きくなるように移動させる構成とされ得る。
【００１５】
このような構成とすれば、光源に対する冷却量が光変調素部に対する冷却量より不足した場合に、第１の吸気口の開口面積が大きくされる。これにより、第１の吸気口から空気が取り込みこまれやすくなる。よって、フィルタにより本体キャビネット内への塵埃の侵入を抑制しつつ、光源へ供給される空気の風量を多くして光源の冷却効果を高めることができる。
【００１６】
さらに、前記駆動部は、前記第１の温度検出部による検出温度および前記第２の温度検出部による検出温度に基づいて、前記光変調部に対する冷却量が前記光源に対する冷却量よりも不足していると判定した場合に、前記仕切部を、前記第２の吸気口の開口面積が現在の開口面積より大きくなるように移動させる構成とされ得る。
【００１７】
このような構成とすれば、光変調部に対する冷却量が光源に対する冷却量より不足する
ことが生じた場合に、光変調部への風量を多くすることができ、光変調部の冷却効果を高めることができる。
【発明の効果】
【００１８】
以上のとおり、本発明によれば、塵埃の侵入を抑制しつつ光源の冷却効果が高めることができる投写型表示装置を提供することができる。
【００１９】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２０】
【図１】第１実施形態に係る、プロジェクタの構成を示す外観斜視図である。
【図２】第１実施形態に係る、光学エンジンの構成を示す図である。
【図３】第１実施形態に係る、フィルタカセットの構成を示す図である。
【図４】第１実施形態に係る、ランプユニットおよび表示ユニットを冷却するための冷却機構について説明するための図である。
【図５】第１実施形態に係る、ランプユニットおよび表示ユニットを冷却するための冷却機構について説明するための図である。
【図６】第２実施形態に係る、プロジェクタの構成について説明するための図である。
【図７】第２実施形態に係る、プロジェクタの構成について説明するための図である。
【図８】第２実施形態に係る、ランプ温度およびパネル温度に基づいて、ランプ側吸気口とパネル側吸気口との開口面積の比率を変更するための変更制御処理について説明するための図である。
【図９】第１実施形態の変更例に係る、フィルタカセットの構成を示す図である。
【発明を実施するための形態】
【００２１】
以下、図面を参照して、本発明の実施の形態について説明する。
【００２２】
＜第１実施形態＞
第１実施形態に係るプロジェクタ１について、以下に説明する。
【００２３】
図１は、プロジェクタ１の構成を示す外観斜視図である。図１を参照して、プロジェクタ１は、略直方体形状を有する本体キャビネット１０を備えている。本体キャビネット１０の前面には、投写窓１０１が形成されている。また、本体キャビネット１０の左側面は、一部が吸気口カバー１０２により構成されている。吸気口カバー１０２は、その下端部にヒンジ構造を有し、図中の一点鎖線に示すように、下端部を支点にして左方向に開放する。吸気口カバー１０２には、多数の孔からなる側面吸気口１０３が形成されている。
【００２４】
本体キャビネット１０の内部には、光学エンジン２０および投写レンズユニット３０が配されている。光学エンジン２０は、ランプユニットからの光を映像信号に基づいて変調することにより映像光を生成する。光学エンジン２０には、投写レンズユニット３０が装着されており、投写レンズユニット３０の前端部が、投写窓１０１から前方に露出している。投写レンズユニット３０は、光学エンジン２０で生成された映像光を、プロジェクタ１の前方に配されたスクリーンに拡大投写する。
【００２５】
図２は、光学エンジン２０の構成を示す図である。
【００２６】
図２に示すように、光学エンジン２０は、ランプユニット２０１と、導光ユニット２０２と、表示ユニット２０３とを備えている。
【００２７】
表示ユニット２０３は、３つの透過型の液晶パネル２０４、２０５、２０６と、ダイクロイックプリズム２０７とを備えている。液晶パネル２０４、２０５、２０６の入射側と出射側には図示しない偏光板が配されている。
【００２８】
ランプユニット２０１は、白色光を発するランプと、ランプから発せられた白色光を反射するリフレクタとを含む。ランプには、メタルハライドランプ、キセノンランプ等が用いられる。ランプユニット２０１から出射された白色光は、導光ユニット２０２に入射する。
【００２９】
導光ユニット２０２は、フライアイインテグレータ、ＰＢＳアレイ、コンデンサレンズ、ダイクロイックミラー、平面ミラー、リレーレンズ等を備える。導光ユニット２０２に入射した白色光は、赤色波長帯の光（以下、「Ｒ光」という）と、緑色波長帯の光（以下、「Ｇ光」という）と、青色波長帯の光（以下、「Ｂ光」という）に分離され、液晶パネル２０４、２０５、２０６に照射される。これら液晶パネル２０４、２０５、２０６によって変調されたＲ光、Ｇ光、Ｂ光は、ダイクロイックプリズム２０７によって色合成され、映像光として出射される。
【００３０】
なお、光学エンジン２０を構成する光変調素子としては、上記透過型の液晶パネル２０４、２０５、２０６の他、反射型の液晶パネルや、ＭＥＭＳデバイスを用いることもできる。また、光学エンジン２０は、上記のように３つの光変調素子を備えた３板式の光学系ではなく、たとえば、１つの光変調素子とカラーホイールを用いた単板式の光学系により構成することもできる。
【００３１】
図１に戻り、本体キャビネット１０内の左側面側には、フィルタ装着部１０４が設けられている。フィルタ装着部１０４には、フィルタカセット４０が取り外し可能に装着されている。フィルタカセット４０の前面は、吸気口カバー１０２により覆われている。フィルタカセット４０を交換する際には、吸気口カバー１０２が開放されて、フィルタカセット４０がフィルタ装着部１０４から取り外される。
【００３２】
図３は、フィルタカセット４０の構成を示す図である。図３（ａ）、（ｂ）は、それぞれ、フィルタカセット４０の正面図および背面図である。図３（ｃ）は、図３（ａ）のＡ−Ａ´断面図である。
【００３３】
図３を参照して、フィルタカセット４０は、長方形の箱状に形成されたケース４０１を備えている。ケース４０１の中央部には、外部の空気が通る空気流路４０２が形成されている。空気流路４０２は、仕切壁４０３で仕切られることにより、ランプ側空気流路４０４とパネル側空気流路４０５とに分かれている。ケース４０１の背面には、接続口４０６が形成さている。
【００３４】
ケース４０１には、第１エアフィルタ４０７および第２エアフィルタ４０８が配されている。第１エアフィルタ４０７は、ランプ側空気流路４０４およびパネル側空気流路４０５の双方に跨って配されており、第２エアフィルタ４０８は、パネル側空気流路４０５において、第１エアフィルタ４０７の後方に配されている。
【００３５】
第１エアフィルタ４０７は、第２エアフィルタ４０８よりも、目の粗いフィルタである。これらエアフィルタ４０７、４０８には、ウレタンフィルタ、不織布フィルタ等が用いられる。
【００３６】
本体キャビネット１０内には、フィルタカセット４０を介して外部の空気が取り込まれ、取り込まれた空気により、発熱しているランプユニット２０１および表示ユニット２０３が冷却される。
【００３７】
図４および図５は、ランプユニット２０１および表示ユニット２０３を冷却するための冷却機構について説明するための図である。図４は、プロジェクタ１の内部を透視した、プロジェクタ１の要部の平面図である。図５（ａ）は、下部冷却ユニット５０および上部冷却ユニット６０を、図４に示すＰ方向から見た図である。図５（ｂ）は、下部冷却ユニット５０における、フィルタ装着部１０４との連結部分の近傍を、図４に示すＱ方向から見た図である。
【００３８】
図４では、便宜上、本体キャビネット１０、下部冷却ユニット５０の一部およびフィルタカセット４０が、断面図で示されている。また、ランプ冷却風路５０２の吹出口５０６が見えるように、上部冷却ユニット６０の一部が切り欠かれるともに、ランプユニット２０１が一点鎖線にて示されている。さらに、パネル冷却風路５０３の吹出口５０７、５０８、５０９が見えるように、表示ユニット２０３が一点鎖線で示されている。さらに、導光ユニット２０２が図示省略されている。
【００３９】
図４および図５を参照して、本体キャビネット１０内には、ランプユニット２０１および表示ユニット２０３を冷却するため、下部冷却ユニット５０と、上部冷却ユニット６０と、排気ファン７０とが配されている。
【００４０】
下部冷却ユニット５０は、下部冷却風路５０１を備えている。下部冷却風路５０１は、ランプ冷却風路５０２と、ランプ冷却風路５０２に隣接するパネル冷却風路５０３とにより構成されている。ランプ冷却風路５０２とパネル冷却風路５０３とは、たとえば、樹脂材料により、一体的に形成されている。
【００４１】
ランプ冷却風路５０２には、空気を取り込むためのランプ側吸気口５０２ａが形成されており、パネル冷却風路５０３には、空気を取り込むためのパネル側吸気口５０３ａが形成されている。ランプ側吸気口５０２ａとパネル側吸気口５０３ａとにより下部冷却風路５０１の吸気口５０４が構成され、吸気口５０４がフィルタ装着部１０４に連結されている。フィルタ装着部１０４にフィルタカセット４０が装着されると、フィルタカセット４０の接続口４０６が、フィルタ装着部１０４の開口部に通されて吸気口５０４に接続される。ランプ冷却風路５０２とパネル冷却風路５０３との間の仕切壁５０５が、フィルタカセット４０の仕切壁４０３に連結され、ランプ側空気流路４０４とランプ冷却風路５０２とが連通し、パネル側空気流路４０５とパネル冷却風路５０３とが連通する。
【００４２】
図５（ａ）に示すように、下部冷却ユニット５０は、ランプユニット２０１および導光ユニット２０２の下方に配されている。図５（ｂ）に示すように、下部冷却風路５０１の吸気口５０４の近傍部分５０１ａは、導光ユニット２０２側へ向かうに従って徐々に風路の高さが低くなるよう、上面が傾斜する形状を有する。
【００４３】
ランプ冷却風路５０２は、ランプユニット２０１の下方まで延びている。ランプ冷却風路５０２の上面には、ランプユニット２０１の真下の位置に吹出口５０６が形成されている。
【００４４】
パネル冷却風路５０３は、表示ユニット２０３の下方まで延びている。パネル冷却風路５０３の上面には、表示ユニット２０３の真下の位置に、各液晶パネル２０４、２０５、２０６に対応する吹出口５０７、５０８、５０９が形成されている。
【００４５】
ランプ冷却風路５０２およびパネル冷却風路５０３の内部には、それぞれ、吸気ファン５１０、５１１が配されている。吸気ファン５１０、５１１には、たとえば、遠心ファンが用いられる。
【００４６】
図５（ａ）に示すように、上部冷却ユニット６０は、ランプユニット２０１および導光ユニット２０２の下方に配されている。上部冷却ユニット６０は、上部冷却風路６０１を備えている。
【００４７】
上部冷却風路６０１は、一端側が表示ユニット２０３の近傍に位置し、他端側がランプユニット２０１の真上に位置する。上部冷却風路６０１の一端側には、側面に吸気口６０２が形成されており、他端側には、下面に吹出口６０３が形成されている。
【００４８】
上部冷却風路６０１の内部には、吸気ファン６０４が配されている。吸気ファン６０４には、たとえば、遠心ファンが用いられる。
【００４９】
排気ファン７０は、ランプユニット２０１の後方において、本体キャビネット１０の後面に近接するように配されている。排気ファン７０には、たとえば、軸流ファンが用いられる。本体キャビネット１０の後面には、排気ファン７０の対面位置に、多数の孔からなる排気口１０５が形成されている。
【００５０】
投写運転時には、３つの吸気ファン５１０、５１１、６０４および排気ファン７０が回転する。
【００５１】
吸気ファン５１０が回転すると、外部の空気が、フィルタカセット４０のランプ側空気流路４０４を通じて、ランプ側吸気口５０２ａからランプ冷却風路５０２内に取り込まれる。このとき、第１エアフィルタ４０７により空気中の塵埃が除去される。
【００５２】
ランプ冷却風路５０２内に取り込まれた空気は、吹出口５０６へと送られ、吹出口５０６から上方のランプユニット２０１に向かって吹き出す。吹出口５０６から吹き出した空気により、ランプユニット２０１が冷却される。
【００５３】
吸気ファン５１１が回転すると、外部の空気が、フィルタカセット４０のパネル側空気流路４０５を通じて、パネル側吸気口５０３ａからパネル冷却風路５０３内に取り込まれる。このとき、第１エアフィルタ４０７により空気中の大きな塵埃が除去され、第２エアフィルタ４０８により、空気中の細かな塵埃が除去される。
【００５４】
パネル冷却風路５０３内に取り込まれた空気は、各吹出口５０７、５０８、５０９へと送られ、各吹出口５０７、５０８、５０９から、それぞれの上方に位置する液晶パネル２０４、２０５、２０６に向かって吹き出す。吹出口５０７、５０８、５０９から吹き出した空気により、液晶パネル２０４、２０５、２０６、偏光版（図示せず）およびダイクロイックプリズム２０７、即ち、表示ユニット２０３が冷却される。
【００５５】
表示ユニット２０３を冷却した空気は、吸気口６０２から上部冷却風路６０１内に取り込まれる。取り込まれた空気は、吹出口６０３へと送られ、吹出口６０３から下方のランプユニット２０１に向かって吹き出す。吹出口６０３から吹き出した空気により、ランプユニット２０１がさらに冷却される。
【００５６】
ランプユニット２０１を冷却した空気は、排気ファン７０により、排気口１０５を通じて、外部に排出される。
【００５７】
以上、本実施の形態によれば、ランプユニット２０１および表示ユニット２０３にそれぞれ対応する個別の吸気口（ランプ側吸気口５０２ａ、パネル側吸気口５０３ａ）および冷却風路（ランプ冷却風路５０２、パネル冷却風路５０３）が設けられるとともに、ランプ側吸気口５０２ａに対応する第１エアフィルタ４０７が、パネル側吸気口５０３ａに対応する第２エアフィルタ４０８よりも目が粗く、空気が通りやすい構成とされている。これにより、パネル側吸気口５０３ａに比べ、ランプ側吸気口５０２ａから空気が取り込まれやすくなる。一方、第２エアフィルタ４０８は、第１エアフィルタ４０７より目が細かいので、第１エアフィルタ４０７に比べて小さな塵埃を除去できる。よって、ランプユニット２０１へ供給される風量を多くすることができ、ランプユニット２０１の冷却効果を高めることができるともに、ランプユニット２０１に比べて塵埃の影響を受けやすい表示ユニット２０３に対しては、塵埃の付着を防止しつつ冷却を行うことができる。
【００５８】
さらに、本実施の形態によれば、本体キャビネット１０内にフィルタカセット４０を装着するだけで、ランプ側吸気口５０２ａへの第１エアフィルタ４０７の装着、およびパネル側吸気口５０３ａへの第２エアフィルタ４０８の装着が行える。よって、ユーザに対する利便性を高めることができる。
【００５９】
さらに、本実施の形態によれば、上部冷却ユニット６０により、表示ユニット２０３を冷却した空気がランプユニット２０１に導かれ、この空気によりランプユニット２０１が冷却される。よって、ランプユニット２０１の冷却効果が一層高まる。
【００６０】
＜第２実施形態＞
第２実施形態のプロジェクタ１について、以下に説明する。
【００６１】
図６および図７は、プロジェクタ１の構成について説明するための図である。図６は、プロジェクタ１の内部を透視した、プロジェクタ１の要部の平面図である。図７は、モータ５２２の駆動に係る構成を示すブロック図である。
【００６２】
図６において、第１実施形態と同様な構成には、同じ図番を付している。以下、第１実施形態と同様な構成については説明を省略する。
【００６３】
本実施形態におけるフィルタカセット４５は、長方形の箱状を有するケース４５１を備える。ケース４５１の中央部には、エアフィルタ４５３が配された空気流路４５２が形成されている。フィルタ装着部１０４にフィルタカセット４５が装着されると、フィルタカセット４５の接続口４５４が、フィルタ装着部１０４の開口部に通されて吸気口５０４に接続される。
【００６４】
下部冷却風路５０１内において、仕切壁５０５は、側壁面から両吸気ファン５１０、５１１の中央付近まで形成されており、仕切壁５０５と吸気口５０４と間には、仕切板５２１が設けられている。仕切板５２１により、吸気口５０４が、ランプ側吸気口５０２ａとパネル側吸気口５０３ａとに分けられる。
【００６５】
仕切板５２１は回転軸５２１ａを中心に、仕切壁５０５と仕切板５２１とが一直線となる基準位置から、右回り（ランプ冷却風路５０２が狭くなる方向）、または、左回り（ランプ冷却風路５０２が広くなる方向）に所定の角度だけ回転する。回転軸５２１ａは、下部冷却風路５０１の下方に配された扁平なモータ５２２に連結されている。
【００６６】
仕切板５２１が回転することにより、ランプ側吸気口５０２ａとパネル側吸気口５０３ａの開口面積の比率が変化する。仕切板５２１が基準位置から左回りに回転する、即ち、
パネル冷却風路５０３側に移動すると、ランプ側吸気口５０２ａの開口面積が大きくなる。さらに、吸気ファン５１０に至るランプ冷却風路５０２の幅が拡がる。仕切板５２１が基準位置から右回りに回転する、即ち、ランプ冷却風路５０２側に移動すると、パネル側吸気口５０３ａの開口面積が大きくなる。さらに、吸気ファン５１１に至るパネル冷却風路５０３の幅が拡がる。
【００６７】
ランプユニット２０１の近傍には、ランプ温度センサ８０１が配されている。ランプ温度センサ８０１は、ランプユニット２０１の温度を検出する。表示ユニット２０３の近傍には、パネル温度センサ８０２が配されている。パネル温度センサ８０２は、表示ユニット２０３の温度を検出する。
【００６８】
図７に示すように、ランプ温度センサ８０１による検出温度（以下、「ランプ温度」という）およびパネル温度センサ８０２による検出温度（以下、「パネル温度」という）は、制御部９０に入力される。制御部９０は、ＣＰＵ、メモリ等を備え、ランプ温度およびパネル温度に基づいて、モータ５２２を駆動する。
【００６９】
図８は、ランプ温度およびパネル温度に基づいて、ランプ側吸気口５０２ａとパネル側吸気口５０３ａとの開口面積の比率を変更するための変更制御処理について説明するための図である。図８（ａ）は、変更制御処理を示すフローチャートであり、図８（ｂ）は、変更制御処理に用いられるパラメータについて説明するための図である。
【００７０】
投写運転が開始されると、変更制御処理が開始され、その後、投写運転が終了されるまで、所定の時間間隔で、変更制御処理が繰り返される。
【００７１】
図８（ａ）を参照して、制御部９０は、ランプ温度およびパネル温度を取得すると（Ｓ１）、これら温度を用いて、ランプユニット２０１側の温度マージン差δｔＬおよび表示ユニット２０３側の補正温度マージン差δ´ｔＰを算出する。
【００７２】
本実施の形態では、図８（ｂ）に示すように、ランプユニット２０１の許容温度ＴＬＯに対する目標マージンΔＴＬＯ、および表示ユニット２０３の許容温度ＴＰＯに対する目標マージンΔＴＰＯが予め定められている。
【００７３】
温度マージン差δｔＬは、目標マージンΔＴＬＯとの実測マージンΔＴＬとの差分である。実測マージンΔＴＬは、許容温度ＴＬＯと実測されたランプ温度ＴＬとの差分である。制御部９０は、取得したランプ温度ＴＬから実測マージンΔＴＬを求め、求めた実測マージンΔＴＬから温度マージン差δｔＬを求める。
【００７４】
補正温度マージン差δ´ｔＰは、温度マージン差δｔＰに補正値α（＞１）を乗算した値であり、温度マージン差δｔＰは、目標マージンΔＴＰＯと実測マージンΔＴＰとの差分である。実測マージンΔＴＰは、許容温度ＴＰＯと実測されたパネル温度ＴＰとの差分である。制御部９０は、取得したパネル温度ＴＰから実測マージンΔＴＰを求め、求めた実測マージンΔＴＰから温度マージン差δｔＰを求める。さらに、制御部９０は、温度マージン差δｔＰに補正値αを乗算し、補正温度マージン差δ´ｔＰを求める。
【００７５】
ランプユニット２０１の許容温度ＴＬＯは、数百℃のレベルであり、これに対して、表示ユニット２０３の許容温度ＴＰＯは、数十℃のレベルである。このため、ランプユニット２０１と表示ユニット２０３とに対して、同様な冷却能力の変化が生じた場合、パネル温度ＴＬよりもランプ温度ＴＰの変化が大きくなりやすい。補正値αは、このような、パネル温度ＴＬとランプ温度ＴＰの変化の差を補正するための値である。補正値αを乗算することにより、温度マージン差δｔＰが拡大される。補正値αは、実験等を行うことによ
り予め設定される。
【００７６】
こうして、温度マージン差δｔＬおよび補正温度マージン差δ´ｔＰが算出されると、制御部９０は、温度マージン差δｔＬと補正温度マージン差δ´ｔＰとの差分δｔを算出する（Ｓ３）。
【００７７】
次に、制御部９０は、求めた差分δｔを所定の閾値＋δｔｒ、−δｔｒと比較する（Ｓ４）。その結果、−δｔｒ≦δｔ≦＋δｔｒであれば、制御部９０は、ランプユニット２０１と表示ユニット２０３との冷却のバランスがとれていると判断し、モータ５２２を駆動させず、仕切板５２１を現在の位置に保持させる（Ｓ５）。たとえば、投写運転の開始直後であれば、仕切板５２１は基準位置に保持される。
【００７８】
一方、ステップＳ４における比較の結果、δｔ＜−δｔｒであれば、制御部９０は、ランプユニット２０１に対する冷却量が表示ユニット２０３に対する冷却量よりも不足していると判断する。制御部９０は、モータ５２２を回転させて仕切板５２１をパネル冷却風路５０３側に移動させ、ランプ側吸気口５０２ａの開口面積を現在の開口面積よりも拡大させる（Ｓ６）。これにより、外部の空気がランプ側吸気口５０２ａからランプ冷却風路５０２内に取り込まれやすくなり、ランプユニット２０１に供給される空気の風量が多くなる。よって、ランプユニット２０１の冷却効果が高まる。
【００７９】
さらに、ステップＳ４における比較の結果、＋δｔｒ＜δｔであれば、制御部９０は、表示ユニット２０３に対する冷却量がランプユニット２０１に対する冷却量よりも不足していると判断する。制御部９０は、モータ５２２を回転させて仕切板５２１をランプ冷却風路５０２側に移動させ、パネル側吸気口５０３ａの開口面積を現在の開口面積よりも拡大させる（Ｓ７）。これにより、外部の空気がパネル側吸気口５０３ａからパネル冷却風路５０３内に取り込まれやすくなり、表示ユニット２０３に供給される空気の風量が多くなる。よって、表示ユニット２０３の冷却効果が高まる。
【００８０】
以上、本実施の形態によれば、ランプユニット２０１に対する冷却量が表示ユニット２０３に対する冷却量より不足した場合に、ランプ側吸気口５０２ａの開口面積が大きくされる。これにより、ランプ側吸気口５０２ａから空気が取り込みこまれやすくなる。よって、エアフィルタ４５３により本体キャビネット１内への塵埃の侵入を抑制しつつ、ランプユニット２０１へ供給される空気の風量を多くしてランプユニット２０１の冷却効果を高めることができる。
【００８１】
しかも、本実施の形態では、下部冷却風路５０１の吸気口５０４におけるランプ側吸気口５０２ａの開口面積の比率が変えられる構成とされているので、ランプユニット２０１への風量を多くするために吸気口５０４全体が大きくなることを抑制できる。
【００８２】
さらに、本実施の形態によれば、表示ユニット２０３に対する冷却量がランプユニット２０１に対する冷却量より不足することが生じた場合に、表示ユニット２０３への風量を多くすることができ、表示ユニット２０３の冷却効果を高めることができる。
【００８３】
＜変更例＞
以上、第１本実形態および第２実施形態について説明したが、本発明はこれらの実施形態に何ら制限されるものではなく、また、本発明の実施形態も、上記実施形態に以外に、種々の変更が可能である。
【００８４】
たとえば、上記第１実施形態では、フィルタカセット４０において、第１エアフィルタ４０７が、ランプ側空気流路４０４とパネル側空気流路４０５の双方に跨るように配され
ているが、図９（ａ）、（ｂ）に示すように、第１エアフィルタ４０７が、ランプ側空気流路４０４のみに配されるよう、フィルタカセット４０が構成されても良い。
【００８５】
さらに、上記第２実施形態では、温度マージン差δｔＬと補正温度マージン差δ´ｔＰとの差分δｔに基づいて、ランプ側吸気口５０２ａとパネル側吸気口５０３ａとの開口面積の比率が調整される構成とされている。しかしながら、これに限らず、たとえば、ランプユニット２０１側の実測マージンΔＴＬが目標マージンΔＴＬＯより小さく、表示ユニット２０３側の実測マージンΔＴＰが目標マージンΔＴＰＯより大きい場合に、ランプ側吸気口５０２ａの開口面積が拡大され、ランプユニット２０１側の実測マージンΔＴＬが目標マージンΔＴＬＯより大きく、表示ユニット２０３側の実測マージンΔＴＰが目標マージンΔＴＰＯより小さい場合に、パネル側吸気口５０３ａの開口面積が拡大されるような構成とされても良い。
【００８６】
さらに、上記第１実施形態では、ランプ側吸気口５０２ａに隣接するようにパネル側吸気口５０３ａが設けられている。しかしながら、ランプ側吸気口５０２ａとパネル側吸気口５０３ａとが離れていても良く、これら吸気口５０２ａ、５０３ａが、それぞれ、本体キャビネット１０の異なる面に設けられても良い。
【００８７】
さらに、上記第１実施形態および上記第２実施形態では、ランプ光源であるランプユニット２０１が用いられているが、ＬＥＤ光源やレーザ光源が用いられても良い。  この他、本発明の実施の形態は、特許請求の範囲に示された技術的思想の範囲内において、適宜、種々の変更が可能である。
【符号の説明】
【００８８】
１０  本体キャビネット
２０  光学エンジン
２０１  ランプユニット（光源）
２０３  表示ユニット（光変調部）
４０  フィルタカセット（フィルタユニット）
４０４  ランプ側空気流路（第１の空気流路）
４０５  パネル側空気流路（第２の空気流路）
４０７  第１エアフィルタ（第１のフィルタ）
４０８  第２エアフィルタ（第２のフィルタ）
５０  下部冷却ユニット
５０２  ランプ冷却風路（第１の風路）
５０２ａ  ランプ側吸気口（第１の吸気口）
５０３  パネル冷却風路（第２の風路）
５０３ａ  パネル側吸気口（第２の吸気口）
５０４  吸気口
５１０  吸気ファン（第１の吸気ファン）
５１１  吸気ファン（第２の吸気ファン）
４５  フィルタカセット
４５３  エアフィルタ（フィルタ）
５２１  仕切板（仕切部）
５２２  モータ（駆動部）
８０１  ランプ温度センサ（第１の温度検出部）
８０２  パネル温度センサ（第２の温度検出部）
９０  制御部（駆動部）
【図１】
2013125221.tif 000003
【図２】
2013125221.tif 000004
【図３】
2013125221.tif 000005
【図４】
2013125221.tif 000006
【図５】
2013125221.tif 000007
【図６】
2013125221.tif 000008
【図７】
2013125221.tif 000009
【図８】
2013125221.tif 000010
【図９】
2013125221.tif 000011